(57)【要約】【課題】  情報セキュリティ面での性能向上できる。【解決手段】    モダリティ装置1と可搬型ワークステーション又は可搬型パーソナルコンピュータ2の記憶装置24を接続、記憶装置24と画像サーバ装置4を非接続の状態で、モダリティ装置1において撮像された医用画像情報を前記記憶装置24に転送・記憶し、記憶装置24と画像サーバ装置4を接続、モダリティ装置4と記憶装置24を非接続の状態で、記憶装置24に記憶された医用画像情報のうちの病院情報システム又は放射線情報システム6に記憶された患者情報に対応する前記医用画像情報を画像サーバ装置4に転送する。【選択図】          図4
2014026410.tif 000002
【特許請求の範囲】
【請求項１】
医用画像情報を撮像するモダリティ装置と、
記憶装置を有し前記モダリティ装置と一時接続する可搬型端末と、
前記可搬型端末を前記モダリティ装置と非接続状態として前記可搬型端末と一時接続するものであって、前記医用画像情報を記憶し、医用画像を問い合わせる側の必要な機能を定めたＤＩＣＯＭ  ＱＵＥＲＹ／ＲＥＴＲＩＥＶＥ機能を有する画像サーバ装置と、
を備えた医用画像情報転送システムであって、
前記モダリティ装置と前記記憶装置を接続、前記記憶装置と前記画像サーバ装置を非接続の状態で、当該モダリティ装置において撮像された医用画像情報を前記記憶装置に転送・記憶し、前記記憶装置と前記画像サーバ装置を接続、前記モダリティ装置と前記記憶装置を非接続の状態で、前記記憶装置に記憶された医用画像情報のうちの病院情報システム又は放射線情報システムに記憶された患者情報に対応する前記医用画像情報を前記画像サーバ装置に転送することを特徴とすることを特徴とする医用画像情報転送システム。
【請求項２】
前記モダリティ装置からの前記記憶装置への前記医用画像情報の転送は、ＤＩＣＯＭ  ＱＵＥＲＹ／ＲＥＴＲＩＥＶＥ機能を用いて行うことを特徴とする請求項１記載の医用画像情報転送システム。
【請求項３】
前記モダリティ装置からの前記記憶装置への前記医用画像情報の転送は、ＤＩＣＯＭ  ＱＵＥＲＹ／ＲＥＴＲＩＥＶＥ機能と異なるデータ転送方式を用いて行うことを特徴とする請求項１記載の医用画像情報転送システム。 
【請求項４】
前記ＤＩＣＯＭ  ＱＵＥＲＹ／ＲＥＴＲＩＥＶＥ機能と異なるデータ転送方式は、前記モダリティ装置の記憶装置と前記記憶装置間の直接データ送信を用いて行うことを特徴とする請求項３記載の医用画像情報転送システム。
【請求項５】
前記ＤＩＣＯＭ  ＱＵＥＲＹ／ＲＥＴＲＩＥＶＥ機能と異なるデータ転送方式は、ＤＩＣＯＭ  ＳＴＯＲＡＧＥ  ＳＣＰ及びＤＩＣＯＭ  ＳＴＯＲＡＧＥ  ＳＣＵ機能であることを特徴とする請求項３記載の医用画像情報転送システム。
【請求項６】
医用画像を問い合わせる側の必要な機能を定めたＤＩＣＯＭ  ＱＵＥＲＹ／ＲＥＴＲＩＥＶＥ機能を有する画像サーバ装置において、モダリティ装置に撮像された医用画像情報を、可搬型端末に接続された記憶装置を介して前記画像サーバ装置に転送する医用画像情報転送方法であって、
前記モダリティ装置と前記記憶装置を接続、前記記憶装置と前記画像サーバ装置を非接続の状態で、当該モダリティ装置に撮像された医用画像情報を前記記憶装置に転送・記憶するステップと、前記記憶装置と前記画像サーバ装置を接続、前記モダリティ装置と前記記憶装置を非接続の状態で、前記記憶装置に記憶された医用画像情報のうちの病院情報システム又は放射線情報システムに記憶された患者情報に対応する前記医用画像情報を前記画像サーバ装置に転送するステップとを含むことを特徴とする医用画像情報転送方法。
【発明の詳細な説明】
【技術分野】
【０００１】
本発明は、モダリティ装置で撮像した医用画像情報を画像サーバ装置へ転送に係り、特に情報セキュリティ面での性能向上の改善に関するものである。
【背景技術】
【０００２】
従来の医用画像情報転送システムは、医用画像を送り出す側の必要な機能を定めたDICOM STORAGE SCU機能を有するモダリティ装置において撮像された医用画像及びその付帯情報を含む医用画像情報を、医用画像を受け取る側の必要な機能を定めたDICOM STORAGE SCP機能を有する画像サーバ装置へ、オフラインで転送する医用画像情報の転送装置において、前記DICOM STORAGE SCP及び前記DICOM STORAGE SCU機能を有し、前記モダリティ装置に接続され且つ前記画像サーバ装置に非接続の状態で、当該モダリティ装置において撮像された医用画像情報を一旦記録するための可搬型パーソナルコンピュータ又は可搬型ワークステーション(以下、これらを可搬型PCと略称する。)のハードディスクを内蔵し、前記モダリティ装置に非接続且つ前記画像サーバ装置に接続された状態で、前記ハードディスクに記録された医用画像情報を前記画像サーバ装置へ転送している(例えば、特許文献1)。
【先行技術文献】
【特許文献】
【０００３】
【特許文献１】特開2002-253544号公報
【発明の概要】
【発明が解決しようとする課題】
【０００４】
しかしながら、特許文献1のDICOM STORAGE SCU機能及びSCP機能では、モダリティ装置と可搬型PC間、可搬型PCと画像サーバ装置間に、単に医用画像情報を、データ転送するだけであるので、モダリティ装置での患者情報を誤って入力した場合には、誤った医用画像情報がモダリティ装置から画像サーバ装置へ転送されてしまう危惧があり、医療機関の画像サーバ装置が要求した医用画像情報が正確にデータ転送されなかったり、誤った医用画像情報がデータ転送されるという情報セキュリティ上の問題があった。
【０００５】
そこで、本発明の目的は、情報セキュリティ面の性能向上が可能な医用画像情報転送システム、医用画像情報転送方法を提供することにある。
【課題を解決するための手段】
【０００６】
上記目的を達成するために、本発明は、医用画像を問い合わせる側の必要な機能を定めたDICOM QUERY/RETRIEVE機能を有する画像サーバ装置に、モダリティ装置に撮像された医用画像情報を、可搬型端末に接続された記憶装置を介して前記画像サーバ装置に転送する医用画像情報の転送装置であって、前記モダリティ装置と前記記憶装置を接続、前記記憶装置と前記画像サーバ装置を非接続の状態で、当該モダリティ装置において撮像された医用画像情報を前記記憶装置に転送・記憶し、前記記憶装置と前記画像サーバ装置を接続、前記モダリティ装置と前記記憶装置を非接続の状態で、前記記憶装置に記憶された医用画像情報のうちの病院情報システム又は放射線情報システムに記憶された患者情報に対応する前記医用画像情報を前記画像サーバ装置に転送することを特徴とするものである。
【発明の効果】
【０００７】
本発明によれば、情報セキュリティ面の性能向上が可能な医用画像情報転送システム、医用画像情報転送方法を提供できる。
【図面の簡単な説明】
【０００８】
【図１】本発明の各実施例に共通する医用画像情報転送システムの構成図。
【図２】図1のモダリティ装置1の画像処理部、可搬型PC2、画像サーバ装置4、HIS/RIS6の構成例を説明する構成図。
【図３】図1の実施例1に係るデータ転送の態様を説明する図。
【図４】図3のデータ転送の動作を説明するフローチャート。
【図５】図1の実施例2に係るデータ転送の態様を説明する図。
【図６】図5のデータ転送の動作を説明するフローチャート。
【発明を実施するための形態】
【０００９】
以下に、本発明に係る医用画像情報転送システム、医用画像情報転送方法の一実施の形態について、図1を参照して詳細に説明する。
【００１０】
図1は本発明の各実施例に共通する医用画像情報転送システムの構成図である。
医用画像情報転送システムは、医用画像情報を撮像するモダリティ装置1と、記憶装置を有し前記モダリティ装置と一時接続する可搬型PC2と、前記可搬型端末を前記モダリティ装置と非接続状態として前記可搬型端末と一時接続するものであって、前記医用画像情報を記憶し、医用画像を問い合わせる側の必要な機能を定めたDICOM QUERY/RETRIEVE機能を有する画像サーバ装置4と、を有している。
【００１１】
医用画像情報転送システムは、検診車などの車両に搭載(以下、「車載」ともいう)される機器と病院や健診施設などの医療機関に設置される機器を有している。
【００１２】
車載される機器は、モダリティ装置1と、可搬型PC2(「可搬型端末」ともおいう)と、モダリティ装置1と可搬型PC2を接続するケーブル3とを有している。ここでは、説明を簡単にするために、モダリティ装置1と可搬型PC2との接続をケーブル3による有線接続を例にして説明するが、モダリティ装置1と可搬型PC2との医用画像情報の転送は有線、無線を問わない。
【００１３】
他方で、病院や健診施設などの医療機関に設置される機器は、上記と同じ可搬型PC2と、画像サーバ装置4と、可搬型PC2と画像サーバ装置4を接続するケーブル5と、病院情報システム(Hospital Information System:HIS)あるいは放射線情報システム(Radiology Information System:RIS)(HIS/RIS)6と、画像サーバ装置4とHIS/RIS6を接続するケーブル7と、HIS/RIS6と可搬型PC2を接続するケーブル9と、を有している。ここでは、説明を簡単にするために、可搬型PC2、画像サーバ装置4、HIS/RIS6の接続をケーブル5、7、9による有線接続を例にして説明するが、モダリティ装置1と可搬型PC2の場合と同様に、医用画像情報の転送、患者情報等の転送は有線、無線を問わない。
【００１４】
図1では、モダリティ1が車載され、画像サーバ装置4が医療機関に設置された例を説明しているが、例えば、モダリティ1が診療所などの第1の医療機関、画像サーバ装置4が地域中核病院などの第2の医療機関であってもよい。
【００１５】
モダリティ装置1は、車載され、被検体のX線透過画像や、断層画像、断層画像等から派生する三次元画像を撮像するもので、X線透視撮影装置、X線CT装置、磁気共鳴イメージング装置、超音波画像診断装置、核医学画像診断装置を含み、主に被検体の内部構造の画像を撮像する。モダリティ装置1は、画像処理部分を有し、画像処理部分の詳細な構成は後述する。モダリティ装置1の画像処理部分の機能は、撮像した画像の患者情報や撮影条件などのデータと共に医用画像情報として画像処理部分の記憶装置に記憶する。
【００１６】
可搬型PC2は、医師や技師などの医療スタッフによって車載の状態から医療機関へ、あるいは医療機関から車載の状態へ運び得るもので、公知のノート型パーソナルコンピュータやワークステーションを図示しているが、ラップトップ型パーソナルコンピュータやワークステーション、パームトップ型パーソナルコンピュータやワークステーション、PDA、スマートフォン、タブレット端末と呼ばれる可搬型端末を全て含む。
【００１７】
画像サーバ4は、医療機関に設置され、HIS/RIS6に登録された患者情報に基づいて可搬型PC2が記憶する医用画像情報をDICOM QUERY/RETRIEVE機能によって検索/問い合わせを行って、検索/問い合わせと一致する患者情報に対応する医用画像情報を、可搬型PC2が記憶する医用画像情報から取り出す。画像サーバ4は取り出した医用画像情報を自身の記憶装置に記憶する。
【００１８】
HIS/RIS6は、医療機関に設置され、医療機関を受診した患者の患者情報を登録する。
HIS/RIS6は画像サーバ装置4とケーブル7で接続されており、HIS/RIS6から画像サーバ装置4へ患者情報を転送する。また、HIS/RIS6は可搬型PC2とケーブル9で接続されており、HIS/RIS6から可搬型PC2へ患者情報を転送する。患者情報とは、患者や健康診断の受診者(以下、患者等と略称する)のID、患者等の氏名、生年月日、モダリティへの撮影部位、撮影条件などの医用画像の付帯情報に関連する情報が撮影情報としてHIS/RIS6の記憶装置に記録されている。
【００１９】
モダリティ装置1の画像処理部分、可搬型PC2、画像サーバ装置4、HIS/RIS6は、何れもコンピュータシステムであり、それらの構成は、図2を用いて説明する。
【００２０】
図2は図1のモダリティ装置1の画像処理部分、可搬型PC2、画像サーバ装置4、HIS/RIS6の構成例を説明する構成図である。
【００２１】
可搬型PC2は、CPU(Central Processing Unit)22、主メモリ23、記憶装置24、表示メモリ25、表示装置26、マウス28に接続されたコントローラ27、キーボード29、ネットワークアダプタ(NA)2Aが、システムバス2Bによって信号送受可能に接続されて構成される。NA2Aには、モダリティ装置1、画像サーバ装置4をケーブル3又は5で接続する信号端子2Cを有する。ここで、「信号送受可能に」とは、電気的、光学的に有線、無線を問わずに、相互にあるいは一方から他方へ信号送受可能な状態を示す。
【００２２】
CPU22は、各構成要素の動作を制御する装置である。CPU22は、記憶装置24に格納されるプログラムやプログラム実行に必要なデータを主メモリ23に読み出して実行する。記憶装置24は、モダリティ装置1により撮影された医用画像情報を格納する装置であり、具体的には例えば数十ギガバイト程度の記憶容量を有するハードディスク等であり、ハードディスクは適宜増設が可能である。また、記憶装置24は、フレシキブルディスク、光(磁気)ディスク、ZIPメモリ、USBメモリ、DVDやブルーレイに記録/再生可能な可搬性記録媒体とデータの受け渡しをする装置であっても良い。医用画像情報はケーブル3を介してモダリティ装置1から取得される。また、記憶装置24には、CPU22が実行するプログラムやプログラム実行に必要なデータが格納される。主メモリ23は、CPU22が実行するプログラムや演算処理の途中経過を記憶するものである。
【００２３】
表示メモリ25は、液晶ディスプレイやCRT(Cathode Ray Tube)等の表示装置26に表示するための表示データを一時格納するものである。マウス28やキーボード29は、操作者が可搬型PC2に対して操作指示を行う操作デバイスである。マウス28はトラックパッドやトラックボールなどの他のポインティングデバイスであっても良い。コントローラ27は、マウス28の状態を検出して、表示装置26上のマウスポインタの位置を取得し、取得した位置情報等をCPU22へ出力するものである。NA2Aは、可搬型PC2をモダリティ装置1又は画像サーバ装置4に接続するためのものである。
【００２４】
モダリティ装置1の画像処理部分、可搬型PC2、画像サーバ装置4のCPU22が後述する方法を実行することにより、医用画像情報がモダリティ装置1から可搬型PC2を中継して画像サーバ装置4へデータ転送されることになる。
【実施例１】
【００２５】
次に、本発明の実施例1の動作について図3、図4を用いて説明する。
図3は図1の実施例1に係るデータ転送の態様を説明する図、図4は図3のデータ転送の動作を説明するフローチャートである。
【００２６】
本発明の実施例1は、モダリティ装置1から可搬型PC2へ医用画像情報をデータ転送する第1のデータ転送と、可搬型PC2から画像サーバ装置4へ医用画像情報をデータ転送する第2のデータ転送とを、いずれもDICOM QUERY/RETRIEVE機能によって実施する例を説明する。
【００２７】
また、モダリティ装置1の画像処理部分、可搬型PC2及び画像サーバ装置4には、DICOMに準拠した通信を可能とするために、イーサーネットインターフェイスと、アプリケーションソフトウェアとして、検索/問い合せ(Query/Retrieve)要求処理を行うDICOM QUERY/RETRIEVE機能とを有している。
【００２８】
ここで、DICOM QUERY/RETRIEVE機能には、DICOMで規定されている医用画像情報を保管するに当たって、医用画像を問い合わせる側の保持すべき機能を定めたDICOM QUERY/RETRIEVE SCP(SCP；Service Class Provider)機能と、同じく医用画像情報を保管するに当たって、医用画像を検索して問い合わせに応じる側の保持すべき機能を定めたDICOM QUERY/RETRIEVE SCU(SCU；Service Class User)機能との双方を実装する。
【００２９】
すなわち、可搬型PC2には、DICOM QUERY/RETRIEVE SCP機能とDICOM QUERY/RETRIEVE SCU機能の双方が実装され、モダリティ装置1には、DICOM QUERY/RETRIEVE SCU機能が実装され、画像サーバ装置4には、DICOM QUERY/RETRIEVE SCP機能が実装されている。
【００３０】
まず、医療スタッフは、ケーブル9を用いて可搬型PC2とHIS/RIS6を接続する。可搬型PC2のCPU22はHIS/RIS6の記憶装置24に記憶される患者情報13を可搬PC2の記憶装置24に記憶させ、記憶が終了したことを可搬型PC2の表示装置26に表示する。可搬PC2の表示装置26の表示を確認した医療スタッフは、ケーブル9を外し、可搬型PC2とHIS/RIS6を非接続状態とする(ステップS11)。
【００３１】
次に、医療スタッフは、画像サーバ装置4とHIS/RIS6がケーブル7によって接続されているか確認する。画像サーバ装置4のCPU22はHIS/RIS6の記憶装置24に記憶される患者情報14を画像サーバ装置4の記憶装置24に記憶させ、記憶が終了したことを示す終了メッセージを画像サーバ装置4の表示装置26に表示する。通常では画像サーバ装置4とHIS/RIS6は常時接続されている(ステップS12)。
【００３２】
次に、医療スタッフは検診車などの車両内に可搬型PC2を持ち込み、ケーブル3を用いて可搬型PC2とモダリティ装置1を接続する。可搬型PC2のCPU22は、モダリティ装置1で撮像された画像を含む医用画像情報10を、ステップS11で記憶された患者情報に基づき医用画像の検索するための問い合わせ要求をモダリティ装置1のCPU22に行う。モダリティ装置1のCPU22は、可搬型PC2のCPU22の問い合わせ要求を受けて、問い合わせ要求の内容と一致する医用画像情報10を検索し、モダリティ装置1の記憶装置24から可搬型PC2の記憶装置24へ送り出すべき医用画像情報10を特定し、特定された医用画像情報10をモダリティ装置1の記憶装置24から可搬型PC2の記憶装置24へデータ転送させ、データ転送が終了したことを示す終了メッセージを可搬型PC2の表示装置26に表示する。可搬PC2の表示装置26の表示を確認した医療スタッフは、ケーブル3を外し、可搬型PC2とモダリティ装置1を非接続状態とする(ステップS13)。
【００３３】
次に、医療スタッフは、検診車から運び出し、経路11を経て医療機関に可搬型PC2を持ち込み、ケーブル5を用いて可搬型PC2と画像サーバ装置4を接続する。画像サーバ装置4のCPU22は、可搬型PC2に記憶された医用画像情報12を、ステップS12で記憶された患者情報に基づき医用画像情報12の検索するための問い合わせ要求を可搬型PC2のCPU22に行う。可搬型PC2のCPU22は、画像サーバ装置4のCPU22の問い合わせ要求を受けて、問い合わせ要求の内容と一致する医用画像情報12を検索し、可搬型PC2の記憶装置24から画像サーバ装置4の記憶装置24へ送り出すべき医用画像情報12を特定し、特定された医用画像情報12を可搬型PC2の記憶装置24から画像サーバ装置4の記憶装置24へデータ転送させ、データ転送が終了したことを示す終了メッセージを画像サーバ装置4の表示装置26に表示する。画像サーバ装置4の表示装置26の表示を確認した医療スタッフは、ケーブル5を外し、可搬型PC2と画像サーバ装置4を非接続状態とする(ステップS14)。
【００３４】
画像サーバ装置4に転送された医用画像情報12は、画像サーバ装置4自身のモニタあるいは画像サーバ装置4に接続されるクライアント端末(図示省略)のモニタに表示され、専門の読影医によって読影・診断が可能となる。
【００３５】
以上説明した、上記実施例1によれば、医用画像を問い合わせる側の必要な機能を定めたDICOM QUERY/RETRIEVE機能を有する画像サーバ装置において、モダリティ装置1に撮像された医用画像情報を、可搬型PC2に接続された記憶装置24を介して前記画像サーバ装置4に転送する医用画像情報の転送装置であって、前記モダリティ装置1と前記記憶装置24を接続、前記記憶装置24と前記画像サーバ装置4を非接続の状態で、当該モダリティ装置1において撮像された医用画像情報を前記記憶装置24に転送・記憶し、前記記憶装置24と前記画像サーバ装置4を接続、前記モダリティ装置4と前記記憶装置24を非接続の状態で、前記記憶装置24に記憶された医用画像情報のうちの病院情報システム又は放射線情報システム6に記憶された患者情報に対応する前記医用画像情報を前記画像サーバ装置4に転送するため、特許文献1と比較して、情報セキュリティ面での性能向上が可能となる。
【００３６】
また、上記実施例1の特有の効果は、モダリティ装置1から可搬型PC2への医用画像情報の送信と、可搬型PC2から画像サーバ装置5への医用画像情報の送信とにDICOM QUERY/RETRIEVE機能を用いるので、可搬型PC2からモダリティ装置1への問い合わせ検索要求と、画像サーバ装置4から可搬型PC2への問い合わせ検索要求の二重の問い合わせ検索要求を行っているので、画像サーバ装置4に記憶される医用画像情報の信頼性を向上することができる。
【実施例２】
【００３７】
次に、本発明の実施例2の動作について図5、図6を用いて説明する。
図5は図1の実施例2に係るデータ転送の態様を説明する図、図6は図5のデータ転送の動作を説明するフローチャートである。
【００３８】
本発明の実施例2は、モダリティ装置1から可搬型PC2へ医用画像情報をデータ転送する第1のデータ転送はDICOM QUERY/RETRIEVE機能と異なるデータ転送を行い、可搬型PC2から画像サーバ装置4へ医用画像情報をデータ転送する第2のデータ転送のみを、DICOM QUERY/RETRIEVE機能によって実施する例を説明する。DICOM QUERY/RETRIEVE機能と異なるデータ転送とは、DICOM STORAGE SCP及びDICOM STORAGE SCU機能を含み、モダリティ装置1の記憶装置24から可搬型PC2の記憶装置24への間に、記憶装置24間の直接通信する、記憶装置24のうちのハードディスク間のデータ送信などであり、DICOM QUERY/RETRIEVE機能と異なるデータ転送であればデータ転送の方式を問わない。
【００３９】
実施例1との相違点は、実施例1のステップS11を省略することができることと、ステップS13が次のステップS15に置き換わることである。ステップS12 S14は実施例1と同じであるため、説明を省略する。
【００４０】
すなわち、医療スタッフは検診車などの車両内に可搬型PC2を持ち込み、ケーブル3を用いて可搬型PC2とモダリティ装置1を接続する。可搬型PC2のCPU22は、モダリティ装置1で撮像された画像を含む医用画像情報10の読み出しを、モダリティ装置1のCPU22に行う。モダリティ装置1のCPU22は、可搬型PC2のCPU22の読み出しを受けて、モダリティ装置1の記憶装置24から可搬型PC2の記憶装置24へ医用画像情報10を送り出す。モダリティ装置1のCPU22は医用画像情報10をモダリティ装置1の記憶装置24から可搬型PC2の記憶装置24へデータ転送させ、データ転送が終了したことを示す終了メッセージをモダリティ装置1の表示装置26に表示する。モダリティ装置1の表示装置26の表示を確認した医療スタッフは、ケーブル3を外し、可搬型PC2とモダリティ装置1を非接続状態とする(ステップS15)。
【００４１】
モダリティ装置1の医用画像を可搬型PC2に送信する方法は、特許文献1のDICOM STORAGE機能を含めて方法を問わないものとする。
【００４２】
以上説明した、上記実施例2によれば、上記実施例1の特有の効果と異なる効果の他に、上記実施例2の特有の効果は、モダリティ装置1から可搬型PC2への医用画像情報の送信には、DICOM QUERY/RETRIEVE機能を用いないが、可搬型PC2から画像サーバ装置5への医用画像情報の送信にDICOM QUERY/RETRIEVE機能を用いるため、画像サーバ装置5から可搬型PC2への問い合わせ検索要求を行っているので、情報セキュリティ面での性能向上が担保され、医用画像情報のデータ通信の高速化が可能となる。
【符号の説明】
【００４３】
1  モダリティ装置、  2  可搬型PC、3、7、9  ケーブル、4  画像サーバ装置、 6  HIS/RIS
【図１】
2014026410.tif 000003
【図２】
2014026410.tif 000004
【図３】
2014026410.tif 000005
【図４】
2014026410.tif 000006
【図５】
2014026410.tif 000007
【図６】
2014026410.tif 000008